(57)【要約】【課題】  物資の保管のためのルールが変更されたり、物資がルールに反して保管されようとしたりしても、正しいルールに従って物資を保管させることができる。【解決手段】  在庫管理システムは、複数の電子棚札１０と、通信装置２０と、管理装置４０とを含む。電子棚札１０は、格納部と、通信部とを含む。格納部は品目情報を格納する。通信部は通信装置２０と通信する。通信装置２０は、複数の通信部と、決定部および算出部と、出力部とを含む。通信部は電子棚札１０と通信する。決定部および算出部は電子棚札１０の位置を特定する。出力部は管理装置４０と通信する。管理装置４０は、入力部と、格納部と、処理部と、表示部とを含む。入力部は通信装置２０と通信する。格納部はルールを品目情報に対応付けて格納する。処理部は電子棚札の位置などがルールに合致するか否かを判断する。表示部は、処理部が判断した結果を出力する。【選択図】        図１
2007045603.tif 000002
【特許請求の範囲】
【請求項１】
電子棚札と、通信装置と、管理装置とを含む在庫管理システムであって、
前記電子棚札は、
電子棚札毎に異なる情報である識別情報を含む品目情報を格納するための格納手段と、
前記品目情報を送信するように、前記通信装置と通信するための通信手段とを含み、
前記通信装置は、
前記品目情報を受信するように、前記電子棚札と通信するための複数の第１の通信手段と、
前記複数の第１の通信手段のいずれかの通信の過程に応じて、前記電子棚札の位置を特定するための特定手段と、
前記第１の通信手段が前記電子棚札から受信した品目情報と前記電子棚札の位置とを送信するように、前記管理装置と通信するための第２の通信手段とを含み、
前記管理装置は、
品目情報および電子棚札の位置を受信するように、前記通信装置と通信するための通信手段と、
ルールを品目情報に対応付けて格納するための格納手段と、
前記通信手段が受信した品目情報の内容および電子棚札の位置のいずれかが、前記格納手段が格納したルールのうち前記通信手段が受信した品目情報に対応するルールに合致するか否かを判断するための第１の判断手段と、
前記第１の判断手段が判断した結果に対応する情報を出力するための出力手段とを含む、在庫管理システム。
【請求項２】
前記管理装置の格納手段は、電子棚札の位置についてのルールを前記品目情報に対応付けて格納するための手段を含み、
前記管理装置の第１の判断手段は、前記通信手段が受信した電子棚札の位置が、前記格納手段が格納した位置についてのルールのうち前記通信手段が受信した品目情報に対応するルールに合致するか否かを判断するための手段を含む、請求項１に記載の在庫管理システム。
【請求項３】
前記管理装置の格納手段は、電子棚札の位置の高さについてのルールを前記品目情報に対応付けて格納するための手段を含み、
前記管理装置の第１の判断手段は、前記通信手段が受信した電子棚札の位置が、前記格納手段が格納した高さについてのルールのうち前記通信手段が受信した品目情報に対応するルールに合致するか否かを判断するための手段を含む、請求項１に記載の在庫管理システム。
【請求項４】
前記電子棚札の格納手段は、前記識別情報に加え、物資の名称および物資の数量のいずれかを含む、前記品目情報を格納するための手段を含む、請求項１に記載の在庫管理システム。
【請求項５】
前記通信装置の複数の第１の通信手段は、同一の電子棚札から同一の品目情報を受信する、少なくとも３つの、前記電子棚札と通信するための手段を含み、
前記通信装置の特定手段は、
少なくとも３つの、前記電子棚札と通信するための手段について、同一の電子棚札から同一の品目情報を受信するために前記電子棚札と通信するための手段がそれぞれ要した時間を測定するための測定手段と、
前記測定手段が測定した時間に対応するように、前記電子棚札の位置を特定するための手段とを含む、請求項１に記載の在庫管理システム。
【請求項６】
前記電子棚札の位置を特定するための手段は、前記電子棚札の高さ方向の位置を特定するための手段を含む、請求項５に記載の在庫管理システム。
【請求項７】
前記電子棚札は、
人が物資の数量を入力するための入力手段と、
前記物資の数量と前記管理装置が格納した物資の数量とが一致したか否かに対応する情報である判断情報を出力するための出力手段とをさらに含み、
前記電子棚札の通信手段は、前記品目情報を送信し、前記物資の数量を送信し、かつ前記判断情報を受信するように、前記通信装置と通信するための手段を含み、
前記通信装置の第１の通信手段は、前記品目情報を受信し、物資の数量を受信し、かつ前記判断情報を送信するように、前記電子棚札と通信するための手段を含み、
前記通信装置の第２の通信手段は、前記第１の通信手段が前記電子棚札から受信した品目情報と前記棚札の位置とを送信し、前記物資の数量を送信し、かつ前記判断情報を受信するように、前記管理装置と通信するための手段を含み、
前記管理装置の通信手段は、品目情報および棚札の位置を受信し、物資の数量を受信し、かつ前記判断情報を送信するように、前記通信装置と通信するための手段を含み、
前記管理装置の格納手段は、ルールと共に、物資の数量を前記品目情報に対応付けて格納するための手段を含み、
前記管理装置は、前記格納手段が格納した物資の数量が、前記通信手段が受信した物資の数量と一致するか否かを判断するための第２の判断手段をさらに含む、請求項１に記載の在庫管理システム。
【請求項８】
前記管理装置の出力手段は、前記第１の判断手段が判断した結果に対応する情報に加え、前記品目情報の内容を出力するための手段を含む、請求項１に記載の在庫管理システム。
【請求項９】
電子棚札と、通信装置と、管理装置とを用いる在庫管理方法であって、
前記電子棚札が、電子棚札毎に異なる情報である識別情報を含む、品目情報を格納する第１の格納ステップと、
前記電子棚札が、前記品目情報を送信するように、前記通信装置と通信する第１の通信ステップと、
前記通信装置が、品目情報を受信するように、前記電子棚札と通信する複数回の第２の通信ステップと、
前記通信装置が、前記複数回の第２の通信ステップのいずれかにおける前記電子棚札との通信の過程に応じて、前記電子棚札の位置を特定する特定ステップと、
前記通信装置が、前記第２の通信ステップにおいて前記電子棚札から受信した品目情報と前記電子棚札の位置とを送信するように、前記管理装置と通信する第３の通信ステップと、
前記管理装置が、品目情報および電子棚札の位置を受信するように、前記通信装置と通信する第４の通信ステップと、
前記管理装置が、ルールを品目情報に対応付けて格納する第２の格納ステップと、
前記管理装置が、前記第４の通信ステップにおいて受信した品目情報の内容および電子棚札の位置のいずれかが、前記第２の格納ステップにおいて格納したルールのうち前記第４の通信ステップにおいて受信した品目情報に対応するルールに合致するか否かを判断する第１の判断ステップと、
前記管理装置が、前記第１の判断ステップにおいて判断した結果に対応する情報を出力する出力ステップとを含む、在庫管理方法。
【請求項１０】
電子棚札と、通信装置と、管理装置とを用いる在庫管理方法をコンピュータに実行させるための在庫管理プログラムであって、
前記電子棚札が、電子棚札毎に異なる情報である識別情報を含む、品目情報を格納する第１の格納ステップと、
前記電子棚札が、前記品目情報を送信するように、前記通信装置と通信する第１の通信ステップと、
前記通信装置が、品目情報を受信するように、前記電子棚札と通信する複数回の第２の通信ステップと、
前記通信装置が、前記複数回の第２の通信ステップのいずれかにおける前記電子棚札との通信の過程に応じて、前記電子棚札の位置を特定する特定ステップと、
前記通信装置が、前記第２の通信ステップにおいて前記電子棚札から受信した品目情報と前記電子棚札の位置とを送信するように、前記管理装置と通信する第３の通信ステップと、
前記管理装置が、品目情報および電子棚札の位置を受信するように、前記通信装置と通信する第４の通信ステップと、
前記管理装置が、ルールを品目情報に対応付けて格納する第２の格納ステップと、
前記管理装置が、前記第４の通信ステップにおいて受信した品目情報の内容および電子棚札の位置のいずれかが、前記第２の格納ステップにおいて格納したルールのうち前記第４の通信ステップにおいて受信した品目情報に対応するルールに合致するか否かを判断する第１の判断ステップと、
前記管理装置が、前記第１の判断ステップにおいて判断した結果に対応する情報を出力する出力ステップとを含む各ステップをコンピュータに実行させるための在庫管理プログラム。
【請求項１１】
電子棚札と、通信装置と、管理装置とを用いる在庫管理方法をコンピュータに実行させるための在庫管理プログラムを記録したコンピュータ読取り可能な記録媒体であって、
前記電子棚札が、電子棚札毎に異なる情報である識別情報を含む、品目情報を格納する第１の格納ステップと、
前記電子棚札が、前記品目情報を送信するように、前記通信装置と通信する第１の通信ステップと、
前記通信装置が、品目情報を受信するように、前記電子棚札と通信する複数回の第２の通信ステップと、
前記通信装置が、前記複数回の第２の通信ステップのいずれかにおける前記電子棚札との通信の過程に応じて、前記電子棚札の位置を特定する特定ステップと、
前記通信装置が、前記第２の通信ステップにおいて前記電子棚札から受信した品目情報と前記電子棚札の位置とを送信するように、前記管理装置と通信する第３の通信ステップと、
前記管理装置が、品目情報および電子棚札の位置を受信するように、前記通信装置と通信する第４の通信ステップと、
前記管理装置が、ルールを品目情報に対応付けて格納する第２の格納ステップと、
前記管理装置が、前記第４の通信ステップにおいて受信した品目情報の内容および電子棚札の位置のいずれかが、前記第２の格納ステップにおいて格納したルールのうち前記第４の通信ステップにおいて受信した品目情報に対応するルールに合致するか否かを判断する第１の判断ステップと、
前記管理装置が、前記第１の判断ステップにおいて判断した結果に対応する情報を出力する出力ステップとを含む各ステップをコンピュータに実行させるための在庫管理プログラムを記録したコンピュータ読取り可能な記録媒体。
【発明の詳細な説明】
【技術分野】
【０００１】
本発明は、在庫管理システム、在庫管理方法、在庫管理プログラム、および在庫管理プログラムを記録したコンピュータ読取り可能な記録媒体に関し、特に、監督目的に用いる在庫管理システム、在庫管理方法、在庫管理プログラム、および在庫管理プログラムを記録したコンピュータ読取り可能な記録媒体に関する。
【背景技術】
【０００２】
特許文献１は、店舗内の商品の情報を入出力する入出力装置と、入出力装置の位置および商品の位置を検知する無線装置と、入出力装置の位置と商品の位置とを店舗の地図情報と共に管理し、入出力装置に供給し、出力させる管理装置とを有する商品情報管理システムを開示する。
【０００３】
特許文献１に開示された発明によると、商品の位置を管理でき、かつ顧客へ商品の位置を通知できる。
【特許文献１】特開平８−６３６６８号公報
【発明の開示】
【発明が解決しようとする課題】
【０００４】
しかしながら、特許文献１に開示された発明には、物資の保管位置が変更されたり、物資が誤った位置に保管されたりした場合、物資の管理に混乱が生じやすいという問題点がある。特許文献１に開示された発明の場合、無線装置の位置を商品の位置とみなすにすぎないためである。
【０００５】
本発明は上述の問題点を解決するためになされたものであって、その目的は、物資の保管のためのルールが変更されたり、物資がルールに反して保管されようとしたりしても、正しいルールに従って物資を保管させることができる、在庫管理システム、在庫管理方法、在庫管理プログラム、および在庫管理プログラムを記録したコンピュータ読取り可能な記録媒体を提供することにある。
【課題を解決するための手段】
【０００６】
上記目的を達成するために、本発明のある局面にしたがうと、在庫管理システムは、電子棚札と、通信装置と、管理装置とを含む。電子棚札は、格納手段と、通信手段とを含む。格納手段は、電子棚札毎に異なる情報である識別情報を含む品目情報を格納する。通信手段は、品目情報を送信するように、通信装置と通信する。通信装置は、複数の第１の通信手段と、特定手段と、第２の通信手段とを含む。第１の通信手段は、品目情報を受信するように、電子棚札と通信する。特定手段は、複数の第１の通信手段のいずれかの通信の過程に応じて、電子棚札の位置を特定する。第２の通信手段は、第１の通信手段が電子棚札から受信した品目情報と電子棚札の位置とを送信するように、管理装置と通信する。管理装置は、通信手段と、格納手段と、第１の判断手段と、出力手段とを含む。通信手段は、品目情報および電子棚札の位置を受信するように、通信装置と通信する。格納手段は、ルールを品目情報に対応付けて格納する。第１の判断手段は、通信手段が受信した品目情報の内容および電子棚札の位置のいずれかが、格納手段が格納したルールのうち通信手段が受信した品目情報に対応するルールに合致するか否かを判断する。出力手段は、第１の判断手段が判断した結果に対応する情報を出力する。
【０００７】
また、上述の管理装置の格納手段は、電子棚札の位置についてのルールを品目情報に対応付けて格納するための手段を含むことが望ましい。あわせて、管理装置の第１の判断手段は、通信手段が受信した電子棚札の位置が、格納手段が格納した位置についてのルールのうち通信手段が受信した品目情報に対応するルールに合致するか否かを判断するための手段を含むことが望ましい。
【０００８】
また、上述の管理装置の格納手段は、電子棚札の位置の高さについてのルールを品目情報に対応付けて格納するための手段を含むことが望ましい。あわせて、管理装置の第１の判断手段は、通信手段が受信した電子棚札の位置が、格納手段が格納した高さについてのルールのうち通信手段が受信した品目情報に対応するルールに合致するか否かを判断するための手段を含むことが望ましい。
【０００９】
また、上述の電子棚札の格納手段は、識別情報に加え、物資の名称および物資の数量のいずれかを含む、品目情報を格納するための手段を含むことが望ましい。
【００１０】
また、上述の通信装置の複数の第１の通信手段は、同一の電子棚札から同一の品目情報を受信する、少なくとも３つの、電子棚札と通信するための手段を含むことが望ましい。あわせて、通信装置の特定手段は、少なくとも３つの、電子棚札と通信するための手段について、同一の電子棚札から同一の品目情報を受信するために電子棚札と通信するための手段がそれぞれ要した時間を測定するための測定手段と、測定手段が測定した時間に対応するように、電子棚札の位置を特定するための手段とを含むことが望ましい。
【００１１】
もしくは、上述の電子棚札の位置を特定するための手段は、電子棚札の高さ方向の位置を特定するための手段を含むことが望ましい。
【００１２】
また、上述の電子棚札は、入力手段と、出力手段とをさらに含むことが望ましい。入力手段は、人が物資の数量を入力する。出力手段は、物資の数量と管理装置が格納した物資の数量とが一致したか否かに対応する情報である判断情報を出力する。あわせて、電子棚札の通信手段は、品目情報を送信し、物資の数量を送信し、かつ判断情報を受信するように、通信装置と通信するための手段を含むことが望ましい。あわせて、通信装置の第１の通信手段は、品目情報を受信し、物資の数量を受信し、かつ判断情報を送信するように、電子棚札と通信するための手段を含むことが望ましい。あわせて、通信装置の第２の通信手段は、第１の通信手段が電子棚札から受信した品目情報と棚札の位置とを送信し、物資の数量を送信し、かつ判断情報を受信するように、管理装置と通信するための手段を含むことが望ましい。あわせて、管理装置の通信手段は、品目情報および棚札の位置を受信し、物資の数量を受信し、かつ判断情報を送信するように、通信装置と通信するための手段を含むことが望ましい。あわせて、管理装置の格納手段は、ルールと共に、物資の数量を品目情報に対応付けて格納するための手段を含むことが望ましい。あわせて、管理装置は、格納手段が格納した物資の数量が、通信手段が受信した物資の数量と一致するか否かを判断するための第２の判断手段をさらに含むことが望ましい。
【００１３】
また、上述の管理装置の出力手段は、第１の判断手段が判断した結果に対応する情報に加え、品目情報の内容を出力するための手段を含むことが望ましい。
【００１４】
本発明の他の局面にしたがうと、在庫管理方法は、電子棚札と、通信装置と、管理装置とを用いる。在庫管理方法は、電子棚札が、電子棚札毎に異なる情報である識別情報を含む、品目情報を格納する第１の格納ステップと、電子棚札が、品目情報を送信するように、通信装置と通信する第１の通信ステップと、通信装置が、品目情報を受信するように、電子棚札と通信する複数回の第２の通信ステップと、通信装置が、複数回の第２の通信ステップのいずれかにおける通信の過程に応じて、電子棚札の位置を特定する特定ステップと、通信装置が、第２の通信ステップにおいて電子棚札から受信した品目情報と電子棚札の位置とを送信するように、管理装置と通信する第３の通信ステップと、管理装置が、品目情報および電子棚札の位置を受信するように、通信装置と通信する第４の通信ステップと、管理装置が、ルールを品目情報に対応付けて格納する第２の格納ステップと、管理装置が、第４の通信ステップにおいて受信した品目情報の内容および電子棚札の位置のいずれかが、第２の格納ステップにおいて格納したルールのうち第４の通信ステップにおいて受信した品目情報に対応するルールに合致するか否かを判断する第１の判断ステップと、管理装置が、第１の判断ステップにおいて判断した結果に対応する情報を出力する出力ステップとを含む。
【００１５】
本発明の他の局面にしたがうと、在庫管理プログラムは、電子棚札と、通信装置と、管理装置とを用いる在庫管理方法をコンピュータに実行させる。在庫管理方法は、電子棚札が、電子棚札毎に異なる情報である識別情報を含む、品目情報を格納する第１の格納ステップと、電子棚札が、品目情報を送信するように、通信装置と通信する第１の通信ステップと、通信装置が、品目情報を受信するように、電子棚札と通信する複数回の第２の通信ステップと、通信装置が、複数回の第２の通信ステップのいずれかにおける通信の過程に応じて、電子棚札の位置を特定する特定ステップと、通信装置が、第２の通信ステップにおいて電子棚札から受信した品目情報と電子棚札の位置とを送信するように、管理装置と通信する第３の通信ステップと、管理装置が、品目情報および電子棚札の位置を受信するように、通信装置と通信する第４の通信ステップと、管理装置が、ルールを品目情報に対応付けて格納する第２の格納ステップと、管理装置が、第４の通信ステップにおいて受信した品目情報の内容および電子棚札の位置のいずれかが、第２の格納ステップにおいて格納したルールのうち第４の通信ステップにおいて受信した品目情報に対応するルールに合致するか否かを判断する第１の判断ステップと、管理装置が、第１の判断ステップにおいて判断した結果に対応する情報を出力する出力ステップとを含む。
【００１６】
本発明の他の局面にしたがうと、記録媒体は、電子棚札と、通信装置と、管理装置とを用いる在庫管理方法をコンピュータに実行させるための在庫管理プログラムを記録したコンピュータ読取り可能な記録媒体である。在庫管理方法は、電子棚札が、電子棚札毎に異なる情報である識別情報を含む、品目情報を格納する第１の格納ステップと、電子棚札が、品目情報を送信するように、通信装置と通信する第１の通信ステップと、通信装置が、品目情報を受信するように、電子棚札と通信する複数回の第２の通信ステップと、通信装置が、複数回の第２の通信ステップのいずれかにおける通信の過程に応じて、電子棚札の位置を特定する特定ステップと、通信装置が、第２の通信ステップにおいて電子棚札から受信した品目情報と電子棚札の位置とを送信するように、管理装置と通信する第３の通信ステップと、管理装置が、品目情報および電子棚札の位置を受信するように、通信装置と通信する第４の通信ステップと、管理装置が、ルールを品目情報に対応付けて格納する第２の格納ステップと、管理装置が、第４の通信ステップにおいて受信した品目情報の内容および電子棚札の位置のいずれかが、第２の格納ステップにおいて格納したルールのうち第４の通信ステップにおいて受信した品目情報に対応するルールに合致するか否かを判断する第１の判断ステップと、管理装置が、第１の判断ステップにおいて判断した結果に対応する情報を出力する出力ステップとを含む。
【発明の効果】
【００１７】
本発明に係る在庫管理システム、在庫管理方法、在庫管理プログラム、および在庫管理プログラムを記録したコンピュータ読取り可能な記録媒体は、物資の保管のためのルールが変更されたり、物資がルールに反して保管されようとしたりしても、正しいルールに従って物資を保管させることができる。
【発明を実施するための最良の形態】
【００１８】
以下、図面を参照しつつ、本発明の実施の形態について説明する。以下の説明では、同一の部品には同一の符号を付してある。それらの名称および機能も同一である。したがって、それらについての詳細な説明は繰返さない。
【００１９】
図１を参照して、在庫管理システムは、電子棚札１０と、通信装置２０と、管理装置４０と、書替機５０とを含む。電子棚札１０は、物資に関する情報を記憶する装置である。電子棚札１０は、物資に取付けられる。通信装置２０は、電子棚札１０および管理装置４０と通信する装置である。管理装置４０は、データベースに基づき、物資を管理する装置である。書替機５０は、ユーザの操作に従って、電子棚札１０に後述するＩＤ（Identification）を書込む装置である。
【００２０】
図２を参照して、電子棚札１０は、入力部１２と、格納部１４と、通信部１６と、表示部１８とを含む。入力部１２は、人が品目情報を入力する装置である。格納部１４は、入力部１２から入力された品目情報や、管理装置４０から送信された情報を格納する。通信部１６は、無線通信で品目情報を通信する。無線通信の具体的な方法は特に限定されない。具体的な無線通信の方法には、赤外線通信、Bluetooth（登録商標）、無線ＬＡＮ（Local Area Network）、あるいはＰＨＳ（Personal Handyphone System）が含まれる。表示部１８は、品目情報やメッセージを表示する。これによって、作業者は品目情報の内容や運用ルールに違反したことなどを確認することができる。
【００２１】
図３は、格納部１４が格納する品目情報の構成を表わす図である。品目情報は、電子棚札１０毎に異なる情報である識別情報（本実施の形態の場合、電子棚札１０のＩＤを表わす情報）と、保管する物資の品目コードを表わす情報と、保管する物資の名称を表わす情報と、保管する物資の数量を表わす情報とを含む。
【００２２】
図４を参照して、通信装置２０は、複数（少なくとも３つ）の通信部２２と、決定部２４と、制御部２６と、出力部２８と、算出部３０とを含む。通信部２２は、それぞれＬＡＮと接続できる。通信部２２は、電子棚札１０の通信部１６との間で、無線により、品目情報などを通信する。通信部２２は、同一の電子棚札１０から同一の品目情報を受信するように、電子棚札１０と通信する。決定部２４は、電子棚札１０と通信する際、複数の通信部２２のうちどの通信部で通信するかを決定する。決定部２４は、少なくとも３つの、通信部２２について、同一の電子棚札１０から同一の品目情報を受信するために通信部２２がそれぞれ要した時間を測定し、測定した時間を算出部３０に出力する。制御部２６は、管理装置４０から受信した品目情報を電子棚札１０に送信するように、通信部２２を制御する。出力部２８は、通信部２２が電子棚札１０から品目情報を受信すると、管理装置４０に出力する。算出部３０は、決定部２４が出力した少なくとも３つの通信部２２の通信時間から、次の手順により電子棚札１０の位置を特定する。第１の手順は、通信部２２の通信時間に比例するように、各通信部２２から電子棚札２０までの距離を決定する手順である。第２の手順は、算出部３０自身が記憶する、各通信部２２の座標と、第１の手順により決定した距離とから電子棚札２０の座標を算出する手順である。これにより、算出部３０は、決定部２４が測定した時間に対応するように、電子棚札１０の位置を特定することとなる。電子棚札１０の位置が特定されると、算出部３０は、電子棚札１０の位置を表わす情報を、品目情報に付与する。
【００２３】
図５を参照して、管理装置４０は、入力部４２と、格納部４４と、処理部４６と、表示部４８とを含む。入力部４２は、人が指令を入力する装置である。入力部４２は、通信装置２０と品目情報などを通信する装置でもある。格納部４４は、運用ルールデータベースと、在庫データベースとを格納する。処理部４６は、電子棚札１０と通信した際に取得した保管位置の情報および品目情報を運用ルールと照合することにより、運用ルールに基づいて物資が正しく保管されているか否かを判定する。処理部４６は、運用ルールに基づいて保管品が正しく保管されていない場合、警告情報を作成する。警告情報が作成されると、処理部４６は、警告情報を電子棚札１０に送信する（電子棚札１０の表示部１８は、受信した警告情報のメッセージを表示する）。警告情報が作成されると、処理部４６は、在庫データベースに警告番号を付与する。表示部４８は情報を表示する。表示される情報には、警告情報が作成された場合の、運用ルールに違反した旨の情報と、品目情報を格納部４４に格納する際の、入力項目や入力値を確認するための情報と、検索された品目情報と、検索された運用ルール違反の情報と、変更されたり削除されたりした品目情報とが含まれる。本実施の形態の場合、表示部４８は、１つの画面にて、複数の情報を同時に表示できる。
【００２４】
運用ルールデータベースは、物資を保管するための運用を定めた運用ルールをデータベース化したものである。運用ルールには、電子棚札１０を取付けた物資の保管位置が守られること（高さについてのルールを含む、電子棚札１０の位置についてのルール）や、物資の保管期間などが含まれる。これらの事項が運用ルールに含まれることにより、運用ルールは、必然的に品目情報に対応付けられることとなる。仮に運用ルールが品目情報に対応付けられていなければ、どの品目情報についてどのルールが適用されるか判別できなくなるからである。ただし、運用ルールが規定する事項は、これらに限定されない。図６は、本実施の形態における運用ルールデータベースの構成を表わす図である。本実施の形態の場合、運用ルールデータベースは、ルール番号と、ルール名と、値（運用ルールデータベースの場合、「値」とは具体的なルールの内容を数式化したもの）とを含む。図６からも明らかなように、運用ルールは、品目情報（本実施の形態の場合、電子棚札１０のＩＤ）に対応付けられている。
【００２５】
在庫データベースは、品目情報と物資を保管した位置とをデータベース化したものである。図７は、本実施の形態における在庫データベースの構成を表わす図である。本実施の形態の場合、在庫データベースは、電子棚札１０のＩＤと、品目コードと、品目名称と、個数（物資の数量）と、保管位置と、物資の入庫の日時である入庫日時と、品目情報を変更した日時である更新日時と、電子棚札１０との間で最終に通信した日時である最終日時と、更新者のＩＤと、警告番号（たとえば、入庫日時から更新日時までの期間が運用ルールに定められた期間を上回ったことなどの、ルールに違反したことを表わす番号）と、棚卸区分とを含む。これにより、管理装置４０の格納部４４は、物資の入庫の日時と共に、電子棚札１０の位置についてのルールと期間についてのルールとを品目情報に対応付けて格納することとなる。管理装置４０の格納部４４は、ルールと共に、物資の数量を品目情報に対応付けて格納することとなる。
【００２６】
図８を参照して、書替機５０は、入力部５２と、読取部５４と、格納部５６と、通信部５８とを含む。入力部５２は、人が品目情報を入力する装置である。読取部５４は、バーコードから品目情報を読取る。格納部５６は、入力部１２から入力された品目情報や、読取部５４が読取った品目情報を格納する。通信部５８は、電子棚札１０と通信する。無線通信の具体的な方法は特に限定されない。具体的な無線通信の方法には、赤外線通信、Bluetooth（登録商標）、無線ＬＡＮ、あるいはＰＨＳが含まれる。
【００２７】
図９を参照して、本実施の形態に係る電子棚札１０、通信装置２０、管理装置４０、あるいは書替機５０を具体的に実現するコンピュータハードウェアは、ＣＰＵ（Central Processing Unit）１４０と、ディスプレイ１４２と、主記憶装置１４４と、外部記憶装置１４６と、バーコードリーダ１４８と、キーボード１５０と、タッチパネル１５２と、スピーカ１５４と、通信デバイス１５６と、バス１５８とを含む。ＣＰＵ１４０と、ディスプレイ１４２と、主記憶装置１４４と、外部記憶装置１４６と、バーコードリーダ１４８と、キーボード１５０と、タッチパネル１５２と、スピーカ１５４と、通信デバイス１５６とは、バス１５８により相互に接続されている。
【００２８】
ＣＰＵ１４０は、本実施の形態にかかる電子棚札１０、通信装置２０、管理装置４０、あるいは書替機５０を具体的に実現するための処理手順が記述されたプログラムを実行する。ＣＰＵ１４０は、自らが実行するプログラムを、主記憶装置１４４または外部記憶装置１４６などから得る。ＣＰＵ１４０は、バス１５８を通じて、ディスプレイ１４２、バーコードリーダ１４８、タッチパネル１５２、主記憶装置１４４、外部記憶装置１４６、通信デバイス１５６、キーボード１５０、およびスピーカ１５４とデータのやりとりを行う。
【００２９】
ディスプレイ１４２は、グラフィックカードなどと組合わされた表示媒体である。グラフィックカード上にはＶＲＡＭ（Video Random Access Memory）が備えられる。ＶＲＡＭ上のデータは、表示信号に変換された後、液晶パネルに供給される。液晶パネルは供給された表示信号を画像として表示する。
【００３０】
主記憶装置１４４は、通常はＤＲＡＭ（Dynamic Random Access Memory）、フラッシュメモリなどのメモリデバイスで構成される。主記憶装置１４４は、各種のデータを記憶する装置である。
【００３１】
外部記憶装置１４６も、各種のデータを記憶する装置である。本実施の形態の場合、外部記憶装置１４６は、ハードディスクドライブ１６０と、ＰＣ（Personal Computer）カードスロット１６２とを含む。
【００３２】
バーコードリーダ１４８、キーボード１５０、およびタッチパネル１５２は、いずれもユーザが情報を入力する装置である。バーコードリーダ１４８は、走査させた光の反射光により、バーコードを信号化する。タッチパネル１５２は、オペレータからの商品の指定などを検出する。キーボード１５０は、複数のボタン（キー）を含み、押下られたキーに応じた信号を生成する。バーコードリーダ１４８、タッチパネル１５２、およびキーボード１５０から入力された情報は、バス１５８を介してＣＰＵ１４０に入力される。
【００３３】
スピーカ１５４は、バス１５８などを介して送られる音声データを音声信号として解釈し、音声として出力する装置である。
【００３４】
通信デバイス１５６は、ネットワークインタフェースカードなどにより実現される。通信デバイス１５６は、無線や有線などにより接続されたコンピュータハードウェアとデータをやりとりする装置である。
【００３５】
本実施の形態にかかる本実施の形態にかかる電子棚札１０、通信装置２０、管理装置４０、あるいは書替機５０は、上述したコンピュータハードウェアとＣＰＵ１４０により実行されるソフトウェアとにより実現される。一般的にこうしたソフトウェアは、ＰＣカード１７０などの記録媒体に格納されて流通し、外部記憶装置１４６のＰＣカードスロット１６２などにより記録媒体から読取られてハードディスクドライブ１６０に一旦格納される。さらに主記憶装置１４４のＤＲＡＭに読出されて、上述したＣＰＵ１４０により実行される。上述したコンピュータハードウェア自体は一般的なものである。したがって、本発明の最も本質的な部分は、ＰＣカード１７０などの記録媒体に記録されたソフトウェアである。
【００３６】
図１０を参照して、本実施の形態に係る在庫管理システムで実行されるプログラムは、保管位置などの管理に関し、以下のような制御を実行する。
【００３７】
ステップ１００（以下、ステップをＳと略す。）にて、ユーザは、物資を倉庫に保管する際、電子棚札１０に、入力部１２を用いて、品目情報を入力する。格納部１４は、入力された品目情報を格納する。
【００３８】
品目情報が入力されると、ユーザは電子棚札１０を物資に取付ける。電子棚札１０が物資に取付けられると、ユーザは物資を保管位置まで搬送する。
【００３９】
Ｓ１０２にて、通信装置２０の決定部２４と算出部３０とは、複数の通信部２２のいずれかの通信の過程に応じて、電子棚札１０の位置を特定する。これにより、算出部３０は、決定部２４が測定した時間に対応するように、電子棚札１０の位置を特定することとなる。本実施の形態の場合、算出部３０は、電子棚札１０の高さ方向の位置を特定する。
【００４０】
Ｓ１０４にて、電子棚札１０の通信部１０は、品目情報を送信するように、通信装置２０と通信する。通信装置２０の各通信部２２は、品目情報を受信するように、電子棚札１０と通信する。通信装置２０の出力部２８は、通信部２２が電子棚札１０から受信した品目情報と電子棚札１０の位置とを送信するように、管理装置４０と通信する。管理装置４０の入力部４２は、通信装置２０の出力部２８から、品目情報および電子棚札１０の位置を受信するように、通信装置２０と通信する。
【００４１】
Ｓ１０６にて、管理装置４０の処理部４６は、Ｓ１０４にて受信した品目情報の内容に合致するように、格納部４４が格納した在庫データベースの内容を更新する。
【００４２】
Ｓ１０８にて、管理装置４０の処理部４６は、電子棚札１０の位置などが運用ルールに違反しているか否かを判断する。これにより、処理部４６は、入力部４２が受信した品目情報の内容および電子棚札１０の位置のいずれかが、格納部４４が格納した運用ルールのうち入力部４２が受信した品目情報に対応するルールに合致するか否かを判断することとなる。本実施の形態の場合、運用ルールには、高さについてのルールと、期間についてのルールとを含む。高さについてのルールが含まれているので、処理部４６は、入力部４２が受信した電子棚札の位置が、格納部４４が格納した高さについてのルールのうち入力部４２が受信した品目情報に対応するルールに合致するか否かを判断することとなる。期間についてのルールが含まれているので、処理部４６は、管理装置４０の格納部４４が格納した入庫の日時から経過した期間が、格納部４４が格納した期間についてのルールのうち入力部４２が受信した品目情報に対応するルールに合致するか否かを判断することとなる。運用ルールに違反していると判断した場合（Ｓ１０８にてＹＥＳ）、処理はＳ１１０へと移される。もしそうでないと（Ｓ１０８にてＮＯ）、処理はＳ１１２へと移される。
【００４３】
Ｓ１１０にて、管理装置４０の処理部４６は、違反情報を作成する。Ｓ１１２にて、管理装置４０の処理部４６は、ダミーの違反情報を作成する。Ｓ１１４にて、管理装置４０の処理部４６は、違反情報を付加するように、格納部４４の在庫データベースを更新する。あわせて、表示部４８は、違反情報（すなわち処理部４６が判断した結果に対応する情報）を出力する。これにより、違反情報が表示される。
【００４４】
Ｓ１１６にて、処理部４６は、管理を終了するか否かを判断する。管理を終了すると判断した場合（Ｓ１１６にてＹＥＳ）、処理は終了する。もしそうでないと（Ｓ１１６にてＮＯ）、処理はＳ１０４へと移される。
【００４５】
図１１を参照して、本実施の形態に係る在庫管理システムで実行されるプログラムは、棚卸に関し、以下のような制御を実行する。
【００４６】
Ｓ１２０にて、管理装置４０の処理部４６は、格納部４４が格納した在庫データベースのすべての棚卸区分の値を「１」にする。
【００４７】
Ｓ１２２にて、ユーザは、電子棚札１０の入力部１２を用いて、電子棚札１０に品目コードと個数とを入力する。これにより、入力部１２を用いて、人が物資の数量を入力することとなる。
【００４８】
Ｓ１２４にて、電子棚札１０の通信部１６は、物資の数量を送信するように、通信装置２０と通信する。通信装置２０の通信部２２は、物資の数量を受信するように、電子棚札１０と通信する。通信装置２０の出力部２８は、通信部２２が電子棚札１０から受信した物資の数量を送信するように、管理装置４０と通信する。管理装置４０の入力部４２は、物資の数量のほか、品目コードなどを含む品目情報を受信するように、通信装置２０と通信する。
【００４９】
Ｓ１２６にて、管理装置４０の処理部４６は、Ｓ１２４にて受信した品目情報に基づき、電子棚札１０の位置を特定する。
【００５０】
Ｓ１２８にて、処理部４６は、Ｓ１２４にて受信した品目情報の内容と格納部４４が格納した在庫データベースの内容とを比較することにより、品目コードが誤りか否かを判断する。品目コードが誤りと判断した場合（Ｓ１２８にてＹＥＳ）、処理はＳ１３０へと移される。もしそうでないと（Ｓ１２８にてＮＯ）、処理はＳ１３２へと移される。
【００５１】
Ｓ１３０にて、処理部４６は、品目コードが一致していない旨の警告情報を作成する。警告情報が作成されると、処理部４６は、自らが作成した警告情報を追加するように、在庫データベースを更新する。
【００５２】
Ｓ１３２にて、処理部４６は、Ｓ１２４にて受信した品目情報の内容および物資の数量と格納部４４が格納した在庫データベースの内容とを比較することにより、個数が誤っているか否かを判断する。これにより、管理装置４０の処理部４６は、格納部４４が格納した物資の数量が、入力部４２が受信した物資の数量と一致するか否かを判断することとなる。品目情報の内容および物資の数量のいずれかが誤っていると判断した場合（Ｓ１３２にてＹＥＳ）、処理はＳ１３４へと移される。もしそうでないと（Ｓ１３２にてＮＯ）、処理はＳ１３６へと移される。
【００５３】
Ｓ１３４にて、処理部４６は、電子棚札１０に入力された個数に誤りがあった旨の警告情報（物資の数量と管理装置４０が格納した物資の数量とが一致したか否かに対応する情報）を作成する。警告情報が作成されると、処理部４６は、自らが作成した警告情報の内容を追加するように在庫データベースを更新する。入力部４２は、警告情報を送信するように、通信装置２０と通信する。通信装置２０の出力部２８は、警告情報を受信するように、管理装置４０と通信する。通信装置２０の通信部２２は、警告情報を送信するように、電子棚札１０と通信する。電子棚札１０の通信部１６は、警告情報を受信するように、通信装置２０と通信する。電子棚札１０の表示部１８は、警告情報の内容を表示する。これにより、表示部１８は、物資の数量と管理装置４０が格納した物資の数量とが一致したか否かに対応する情報を出力することとなる。
【００５４】
Ｓ１３６にて、入力部４２は、棚卸が完了した旨の情報を送信するように、通信装置２０と通信する。通信装置２０の出力部２８は、棚卸が完了した旨を受信するように、管理装置４０と通信する。通信装置２０の通信部２２は、棚卸が完了した旨を送信するように、電子棚札１０と通信する。電子棚札１０の通信部１６は、物資の数量と管理装置４０が格納した物資の数量とが一致したか否かに対応する情報を受信するように、通信装置２０と通信する。電子棚札１０の表示部１８は、棚卸が完了した旨のメッセージを表示する。これにより、表示部１８は、物資の数量と管理装置４０が格納した物資の数量とが一致したか否かに対応する情報を出力することとなる。
【００５５】
Ｓ１３８にて、処理部４６は、Ｓ１２４にて品目情報を受信した電子棚札１０についての棚卸フラグの値を「０」にする。
【００５６】
Ｓ１４０にて、処理部４６は、在庫データベースを参照することにより、すべてのデータの棚卸区分の値が「０」か否かを判断する。すべてのデータの棚卸区分の値が「０」と判断した場合には（Ｓ１４０にてＹＥＳ）、処理はＳ１４２へと移される。もしそうでないと（Ｓ１４０にてＮＯ）、処理はＳ１４４へと移される。Ｓ１４２にて、管理装置４０の表示部４８は、棚卸が完了した旨のメッセージを表示する。Ｓ１４４にて、表示部４８は、棚卸区分が「１」のデータに対応する品目名を表示する。
【００５７】
以上のような構造およびフローチャートに基づく、在庫管理システムの動作について説明する。
【００５８】
［ルールに違反したか否かを判断する場合］
ユーザは電子棚札１０に品目情報を入力する（Ｓ１００）。品目情報が入力されると、管理装置４０は電子棚札１０から品目情報を受信する（Ｓ１０４）。品目情報が受信されると、処理部４６は電子棚札１０の位置を特定する（Ｓ１０２）。電子棚札１０の位置が特定されると、処理部４６は、在庫データベースを更新する（Ｓ１０６）。在庫データベースが更新されると、処理部４６は、運用ルールに違反しているか否かを判断する（Ｓ１０８）。この場合、運用ルールに違反しているとすると（Ｓ１０８にてＹＥＳ）、処理部４６は違反情報を作成する。図１２は、電子棚札１０の高さ（ひいては物資が保管されている場所の高さ）が運用ルールに違反している旨を表示した場合の電子棚札１０の表示部１８を表わす図である。図１３は、保管期間が運用ルールに違反している場合の電子棚札１０の表示部１８の画面を表わす図である。
【００５９】
違反情報が作成されると、処理部４６は在庫データベースを更新する（Ｓ１１４）。在庫データベースが更新されると、処理部４６は、管理を終了するか否かを判断する（Ｓ１１６）。管理が終了しないとすると（Ｓ１１６にてＮＯ）、Ｓ１０４〜Ｓ１１６の処理が繰返される。
【００６０】
［棚卸をする場合］
棚卸を開始する際、管理装置４０の処理部４６は、ユーザの操作に応じて、在庫データベースのすべてのデータにつき棚卸区分の値を「１」にする（Ｓ１２０）。棚卸区分の値が「１」になると、ユーザは電子棚札１０に品目コードと個数とを入力する（Ｓ１２２）。品目コードと個数とが入力されると、管理装置４０の入力部４２は電子棚札１０から品目情報を受信する（Ｓ１２４）。図１４は、品目コードと個数とを入力する際の電子棚札１０の表示部１８を表わす図である。その後、管理装置４０の処理部４６は電子棚札１０の位置を特定する（Ｓ１２６）。位置が特定されると、処理部４６は、品目コードが誤りか否かを判断する（Ｓ１２８）。品目コードに誤りがないとすると（Ｓ１２８にてＮＯ）、処理部４６は、品目情報の内容および物資の数量のいずれかに誤りがあるか否かを判断する（Ｓ１３２）。この場合、品目情報の内容および物資の数量のいずれにも誤りがないとすると（Ｓ１３２にてＮＯ）、入力部４２は、棚卸が完了した旨のメッセージを電子棚札１０に送信する（Ｓ１３６）。図１５は、棚卸が完了した旨のメッセージを表示した時点の電子棚札１０の表示部１８を表わす図である。
【００６１】
メッセージが送信されると、処理部４６は在庫データベースの棚卸区分の値を「０」にする（Ｓ１３８）。棚卸区分の値が「０」になると、処理部４６は、在庫データベースのすべての棚卸区分の値が「０」か否かを判断する（Ｓ１４０）。この場合、すべての棚卸区分の値が「０」ではないとすると（Ｓ１４０にてＮＯ）、表示部４８は棚卸区分の値が「１」のデータに対応する品目名を表示する（Ｓ１４４）。品目名が表示されると、Ｓ１２２〜Ｓ１４４の処理が繰返される。
【００６２】
その後、すべての棚卸区分の値が「０」になると（Ｓ１４０にてＹＥＳ）、表示部４８は棚卸が完了した旨のメッセージを表示する（Ｓ１４２）。
【００６３】
以上のようにして、本実施の形態に係る在庫管理システムは、電子棚札と管理装置とが互いに通信することにより、物資の保管位置が正しい場所か否かを判断することができる。これにより、物資の保管位置が変更されたり、物資が誤った位置に保管されようとしたりしても、誤りを発見することができる。その結果、物資の保管のためのルールが変更されたり、物資がルールに反して保管されようとしたりしても、正しいルールに従って物資を保管させることができる在庫管理システムを提供することができる。
【００６４】
なお、変形例として、本実施の形態に係る在庫管理システムを構成する各装置は、ＲＦ−ＩＤ（Radio Frequency Identification）のような非接触にて情報の読み書きをすることができる装置を用いて構築してもよい。
【００６５】
また、変形例として、ＰＣカード１７０に代え、他の記録媒体が用いられてもよい。ＰＣカード１７０に代わる記録媒体が用いられる場合、ＰＣカードスロット１６２に代え、用いられる記録媒体に適した読取り装置が用いられる。ＰＣカード１７０に代わる記録媒体には、ＦＤ（flexible disk）などの磁気ディスク系の記録媒体や、ＣＤ−ＲＯＭ（Compact Disk Read Only Memory）、ＭＯ（Magneto-Optical Disc）、ＭＤ（Mini-Disk）、あるいはＤＶＤ（Digital Versatile Disk）などの光ディスク系の記録媒体や、ＩＣ（Integrated Circuit）カードや光カードなどのカード系の記録媒体や、マスクＲＯＭ、ＥＰＲＯＭ（Erasable Programmable Read-Only Memory）、ＥＥＰＲＯＭ（Electrically Erasable Programmable Read-Only Memory）、フラッシュＲＯＭなどの半導体メモリ系の記録媒体などが含まれる。
【００６６】
また、変形例として、棚卸が完了した旨のメッセージを表示部４８が表示することに代え、図示しないプリンタがそのようなメッセージを印字してもよい。棚卸が完了した旨のメッセージ以外のメッセージであっても、同様である。
【００６７】
また、変形例として、Ｓ１０２にて、通信装置２０の算出部３０は、複数の通信部２２のうちどの通信部２２が電子棚札１０と通信したかに応じて、電子棚札１０の位置を特定してもよい。その場合、通信部２２は、倉庫内の物資の各保管場所に配置されている。算出部３０は、電子棚札１０と通信した通信部２２の位置に対応するように、電子棚札１０の位置を特定する。このような方法により、算出部３０は、複数の通信部２２のいずれかの通信の過程に応じて、電子棚札１０の位置を特定することができる。
【００６８】
また、変形例として、Ｓ１０８にて、処理部４６は、電子棚札１０の位置などが、運用ルールのうち高さ以外の位置についてのルールに違反しているか否かを判断してもよい。図１６は、電子棚札１０（ひいては物資）の保管場所が運用ルールに違反している旨のメッセージを表示した場合の電子棚札１０の表示部１８を表わす図である。図１７は、互いに異なる物資が同じ場所に保管されている旨を表示した場合の表示部１８を表わす図である。これにより、処理部４６は、入力部４２が受信した電子棚札１０の位置が、格納部４４が格納した位置についてのルールのうち入力部４２が受信した品目情報に対応するルールに合致するか否かを判断することとなる。
【００６９】
また、変形例として、管理装置４０の表示部４８は、処理部４６が判断した結果に対応する情報に加え、品目情報（品名コードなど）の内容を出力してもよい。
【００７０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７１】
【図１】本発明の実施の形態に係る在庫管理システムの全体構成図である。
【図２】本発明の実施の形態に係る電子棚札の制御ブロック図である。
【図３】本発明の実施の形態に係る品目情報の構成を表わす図である。
【図４】本発明の実施の形態に係る通信装置の制御ブロック図である。
【図５】本発明の実施の形態に係る管理装置の制御ブロック図である。
【図６】本発明の実施の形態に係る運用ルールデータベースの構成を表わす図である。
【図７】本発明の実施の形態に係る在庫データベースの構成を表わす図である。
【図８】本発明の実施の形態に係る書替機の制御ブロック図である。
【図９】本発明の実施の形態に係る電子棚札などを実現するコンピュータハードウェアの制御ブロック図である。
【図１０】本発明の実施の形態に係る位置などの管理処理の制御の手順を示すフローチャートである。
【図１１】本発明の実施の形態に係る棚卸処理の制御の手順を示すフローチャートである。
【図１２】本発明の実施の形態に係る電子棚札の表示部が、保管高さのルールに違反しているメッセージを表示した状況を表わす図である。
【図１３】本発明の実施の形態に係る電子棚札の表示部が、保管期間のルールに違反しているメッセージを表示した状況を表わす図である。
【図１４】本発明の実施の形態に係る電子棚札の表示部が、個数と品目コードとの入力を要求する旨のメッセージを表示した状況を表わす図である。
【図１５】本発明の実施の形態に係る電子棚札の表示部が、入力された情報とデータベースの情報との一致を表わすメッセージを表示した状況を表わす図である。
【図１６】本発明の実施の形態に係る電子棚札の表示部が、保管場所のルールに違反しているメッセージを表示した状況を表わす図である。
【図１７】本発明の実施の形態に係る電子棚札の表示部が、同じ場所に複数の物資が保管されている旨のメッセージを表示した状況を表わす図である。
【符号の説明】
【００７２】
１０  電子棚札、１２，４２，５２  入力部、１４，４４，５６  格納部、１６，２２，５８  通信部、１８，４８  表示部、２０  通信装置、２４  決定部、２６  制御部、２８  出力部、３０  算出部、４０  管理装置、４６  処理部、５０  書替機、５４  読取部、１４０  ＣＰＵ、１４２  ディスプレイ、１４４  主記憶装置、１４６  外部記憶装置、１４８  バーコードリーダ、１５０  キーボード、１５２  タッチパネル、１５４  スピーカ、１５６  通信デバイス、１５８  バス、１６０  ハードディスクドライブ、１６２  ＰＣカードスロット、１７０  ＰＣカード。
【図１】
2007045603.tif 000003
【図２】
2007045603.tif 000004
【図３】
2007045603.tif 000005
【図４】
2007045603.tif 000006
【図５】
2007045603.tif 000007
【図６】
2007045603.tif 000008
【図７】
2007045603.tif 000009
【図８】
2007045603.tif 000010
【図９】
2007045603.tif 000011
【図１０】
2007045603.tif 000012
【図１１】
2007045603.tif 000013
【図１２】
2007045603.tif 000014
【図１３】
2007045603.tif 000015
【図１４】
2007045603.tif 000016
【図１５】
2007045603.tif 000017
【図１６】
2007045603.tif 000018
【図１７】
2007045603.tif 000019